(57)【要約】【課題】  唄う者や奏者によって音域を任意に調整するために利用可能な音域調整用補助具を提供する。【解決手段】  音域調整用補助具１を、所定の大きさの透明シート４に所定方向に延びる複数の鍵盤用帯状線５を順次隣接して表記し、複数の鍵盤用帯状線５を等しい幅に形成すると共に複数の鍵盤用帯状線５に鍵盤楽器の白鍵及び黒鍵の配列順序に従い濃淡を付して構成された鍵盤シート２と、鍵盤用帯状線５と等しい幅に形成されると共に所定方向に延びる複数の譜表用帯状線６を順次隣接して表記した譜表部７を備え、この譜表部７の譜表用帯状線上に音符相当符号８を表記して構成された楽譜本体３とで構成する。楽譜本体３に鍵盤シート２を互いの帯状線の方向を一致させて重ね合わせ、鍵盤用帯状線５と譜表用帯状線６との重なり位置を調整可能とする。【選択図】        図１
2006078609.tif 000002
【特許請求の範囲】
【請求項１】
所定の大きさの透明シートに所定方向に延びる複数の鍵盤用帯状線を順次隣接して表記し、前記複数の鍵盤用帯状線を等しい幅に形成すると共に前記複数の鍵盤用帯状線に鍵盤楽器の白鍵及び黒鍵の配列順序に従い濃淡を付して構成された鍵盤シートと、
前記鍵盤用帯状線と等しい幅に形成されると共に所定方向に延びる複数の譜表用帯状線を順次隣接して表記した譜表部を備え、この譜表部の譜表用帯状線上に音符相当符号を表記して構成された楽譜本体とを備え、
前記楽譜本体に前記鍵盤シートを互いの帯状線の方向を一致させて重ね合わせ、前記鍵盤用帯状線と前記譜表用帯状線との重なり位置を調整可能にしたことを特徴とする音域調整用補助具。
【請求項２】
前記音符相当符号の音階表示は、正対状態で譜表部の右側を高音域側とするように記入表示され、前記音符相当符号は、正対状態で旋律に従って下方側に順次移動表示させるものであることを特徴とする請求項１記載の音域調整用補助具。
【請求項３】
前記音符相当符号は、前記所定方向の長さを調節することで音の相対的長さが決定されるものであることを特徴とする請求項１又は２記載の音域調整用補助具。
【発明の詳細な説明】
【技術分野】
【０００１】
本発明は、鍵盤楽器を利用して発声可能な音域、演奏可能な音域を調整するために利用することが可能な音域調整用補助具に関する。
【背景技術】
【０００２】
歌を唄う場合や、葉笛等で演奏する場合など、人それぞれによって出しやすい音域がある。また、同じ者でも、歌によって、或いは葉笛等の楽器によって出しやすい音域が変化する場合もある。このような場合に、鍵盤楽器等によって出しやすい音域を調べたり、攻略したい音域を決定することが有効である。
【０００３】
従来、鍵盤楽器を用いて、ある旋律の音域を調整するためには、旋律の各音の相対的な音程関係を変化させずに原調から高低の異なる別の高さ（他の調）に移す必要があり、この移調させる旋律の高さに応じて、鍵盤楽器の白鍵盤と黒鍵盤の選び方を変更しなければならない。例えば、ハ長調の旋律に対して音が出しやすい音域が１音高い音域である場合には、ドレミファソラシドに対して、ハ長調の場合であれば、白鍵盤のみをハ、ニ、ホ、ヘ、ト、イ、ロ、ハと順次押せばいいのに対し、１音あげると、ニ、ホ、嬰ヘ、ト、イ、ロ、嬰ハ、ニと、鍵盤を白鍵→白鍵→黒鍵→白鍵→白鍵→白鍵→黒鍵→白鍵の順で押さなければならなくなる。このように、白鍵と黒鍵の組み合わせは旋律の移調に応じて１２通りあり、鍵盤楽器で音域を合わせる場合には、これらの組み合わせを覚える必要があり、また、よほど熟練しない限り、簡単に弾くことはできない。
【０００４】
このため、従来においては、下記する特許文献１に示されるように、鍵盤の配列を規則的とし、どの調に対しても同じ指使いで弾くことができる鍵盤楽器が提案されている。
【特許文献１】特開平６−１６１４２９号公報
【発明の開示】
【発明が解決しようとする課題】
【０００５】
しかしながら、上述した構成によれば、格別な鍵盤楽器を用意する必要があり、通常用いられる鍵盤楽器を利用して簡易に音域調整をすることはできない。そもそも、ある旋律の調を変更しようとすると、シャープやフラットなどの臨時記号のつく位置が変化するため、これを容易に把握できず、このため、初心者にあっては鍵盤楽器が簡単に弾けなくなることに起因している。このため、通常の鍵盤楽器を利用する場合でも、旋律の移調に合わせてどの鍵盤を押せばいいのか容易に把握できる道具があれば役に立つ。
【０００６】
本発明は、このような事情に鑑みてなされたものであり、唄う者や奏者によって音域を任意に調整するために利用可能な音域調整用補助具を提供することを主たる課題としている。
【課題を解決するための手段】
【０００７】
上記課題を達成するために、本発明に係る音域調整用補助具は、所定の大きさの透明シートに所定方向に延びる複数の鍵盤用帯状線を順次隣接して表記し、前記複数の鍵盤用帯状線を等しい幅に形成すると共に前記複数の鍵盤用帯状線に鍵盤楽器の白鍵及び黒鍵の列順序に従い濃淡を付して構成された鍵盤シートと、前記鍵盤用帯状線と等しい幅に形成されると共に所定方向に延びる複数の譜表用帯状線を順次隣接して表記した譜表部を備え、この譜表部の譜表用帯状線上に音符相当符号を表記して構成された楽譜本体とを備え、前記楽譜本体に前記鍵盤シートを互いの帯状線の方向を一致させて重ね合わせ、前記鍵盤用帯状線と前記譜表用帯状線との重なり位置を調整可能にしたことを特徴としている（請求項１）。
【０００８】
したがって、出しやすい音域を調べたり、攻略したい音域を決定するためには、楽譜本体に透明な鍵盤シートを互いの帯状線の方向を一致させて重ね合わせ、しかる後に楽譜本体の譜表用帯状線と鍵盤シートの鍵盤用帯状線との重なり位置を調整すれば、旋律を移調させて音域を調整することが可能となる。そして、利用者は、鍵盤シートの鍵盤用帯状線上に透過して表示された譜表部上の音符相当符号を見ながら鍵盤用帯状線に対応する鍵盤楽器の鍵盤を操作すれば、調の異なる旋律を弾くことが可能となる。この際、どの鍵盤用帯状線の幅も等しく形成されており、白鍵と黒鍵との区別が濃淡によって行なわれ、線幅や線の重なりによって識別されていないので、音域を調整するために、複数の鍵盤シートを用意する必要がなく、一枚の鍵盤シートを帯状線の延設方向と直交方向にずらせばよい。また、利用者は、白鍵と黒鍵とを同列上で把握できるので、初心者でも容易に変調した旋律を弾くことが可能となる。
【０００９】
ここで、前記音符相当符号の音階表示は、正対状態で譜表部の右側を高音域側とするように記入表示され、前記音符相当符号は、正対状態で旋律に従って下方側に順次移動表示されるとよく（請求項２）、前記音符相当符号は、前記所定方向の長さを調節することで音の相対的長さを決定するとよい（請求項３）。
【発明の効果】
【００１０】
以上述べたように、本発明の音域調整用補助具によれば、鍵盤シートを、所定の大きさの透明シートに所定方向に延びる複数の鍵盤用帯状線を順次隣接させて表記し、複数の鍵盤用帯状線を等しい幅に形成すると共に複数の鍵盤用帯状線に鍵盤楽器の白鍵及び黒鍵の配列順序に従い濃淡を付すことで構成し、また、楽譜本体を、鍵盤用帯状線と等しい幅に形成すると共に所定方向に延びる複数の譜表用帯状線を順次隣接させて表記した譜表部に音符相当符号を表記して構成し、楽譜本体に鍵盤シートを互いの帯状線の方向を一致させて重ね合わせ、鍵盤用帯状線と前記譜表用帯状線との重なり位置を調整可能としたので、鍵盤用帯状線と前記譜表用帯状線との重なり位置を異ならせれば、旋律を任意に移調させて音域を任意に変更することが可能となり、この旋律を移調させた状態を視覚的に把握することが可能となる。このため、利用者は、鍵盤シートに透過して表示された音符相当符号を見ながら、これが表示されている鍵盤用帯状線に対応する鍵盤楽器の鍵盤を押せば、移調した旋律を得ることが可能となり、初心者においても容易に音域を調整することが可能となる。
【発明を実施するための最良の形態】
【００１１】
以下、この発明の最良の実施形態を添付図面を参照しながら説明する。
【００１２】
図１乃至図３において、本発明に係る音域調整用補助具の構成例が示されている。この音域調整用補助具１は、鍵盤シート２と楽譜本体３とにより構成されている。
【００１３】
鍵盤シート２には、所定の大きさの透明シート４に所定方向に延びる複数の鍵盤用帯状線５が順次隣接して表記されている。この例において鍵盤用帯状線５は、矩形状の透明シート４を縦長に置いた状態を正態状態とした場合に、上下方向に延びるように表記されている。この複数の鍵盤用帯状線５は、等しい幅に形成され、１オクターブを１２等分したものになっており、この例においては、３オクターブ（３６本分）の鍵盤用帯状線が表記されている。そして、鍵盤楽器の白鍵及び黒鍵の配列順序に従い濃淡が付されている。即ち、黒鍵に対応する部分が濃淡を相対的に濃くして表記され（その部分を、濃色鍵盤用帯状線５ａという）、白鍵に対応する部分が濃淡を相対的に薄くして表記されている（その部分を、薄色鍵盤用帯状線５ｂという）。
【００１４】
したがって、この鍵盤シート２によれば、白鍵と黒鍵とが、大きさの区別なく、また、重なり合うことなく、左右方向に整列して等間隔に表示され、左側から白鍵→黒鍵→白鍵→黒鍵→白鍵→白鍵→黒鍵→白鍵→黒鍵→白鍵→黒鍵→白鍵の繰り返しとして表示されている。
【００１５】
また、鍵盤シート２の鍵盤用帯状線５の上下端には、それぞれの鍵盤の対応する幹音名が、例えば英米式（Ｃ，Ｄ，Ｅ，Ｆ，Ｇ，Ａ，Ｂ，Ｃ）と日本式（ハ，ニ，ホ，ヘ，ト，イ，ロ，ハ）で表示されている。
【００１６】
これに対して、楽譜本体３は、前記鍵盤用帯状線５と等しい幅に形成されると共に所定方向（上下方向）に延びる複数の譜表用帯状線６を順次隣接して表記した譜表部７を備え、この譜表部７の譜表用帯状線６上に葉形状の音符相当符号８を表記して構成されている。この鍵盤用帯状線６も、１オクターブを１２等分したものとなっており、音符相当符号８の音階表示は、正対状態で譜表部７の右側を高音域側とするように記入表示され、また、音符相当符号８は、正対状態で旋律に従って下方側へ順次移動表示されると共に、上下方向の長さを調節することで音の相対的長さが調節されている。
【００１７】
したがって、この楽譜本体３によれば、複数の譜表用帯状線６上に上方から下方へ順次移動表示される音符相当符号８の左右方向の位置を変化させると共に、音符相当符号８の上下方向の長さを変えることによって旋律が形成されている。
【００１８】
以上のような鍵盤シート２と楽譜本体３とを利用して音域を調整するためには、前記楽譜本体３に鍵盤シート２を互いの帯状線５，６の方向を一致させて重ね合わせ、鍵盤用帯状線５と譜表用帯状線６との重なり位置を調整すればよい。
【００１９】
例えば、図３に示されるように、譜表部７に長音階を表示したものを例に挙げると、譜表部７には、所定の大きさの葉形状に形成された音符相当符号８が、正対状態において、下方へ行くにつれて右方側に順次ずらしながら移動表示される上行形と、下方へ行くにつれて左方側に順次ずらしながら移動表示される下行形として表記されている。より具体的には、起点の音符相当符号８を鍵盤シート２のハ（Ｃ）の鍵盤用帯状線５に重ね合わせると、鍵盤シート２の白鍵に対応する鍵盤用帯状線５に音符相当符号８が透視できるように表記される（音符相当符号８は、ハ（Ｃ）の鍵盤用帯状線５を１列目とすると、そこから左方へ３列目、５列目、６列目、８列目、１０列目、１２列目、１３列目、１３列目、１２列目、１０列目、８列目、６列目、５列目、３列目、１列目の順で下方に順次移動表示されている）。
【００２０】
このような楽譜本体３に、鍵盤シート２のハ（Ｃ）の鍵盤用帯状線を起点となる音符相当符号８が表記された譜表用帯状線６に一致させれば、ハ長調の音階となるが、音域を変更するためにホ長調に移調する場合には、鍵盤シート２のホ（Ｅ）の鍵盤用帯状線５を起点となる音符相当符号が表記された譜表用帯状線６に一致させる。そして、鍵盤シート２に透過して見える音符相当符号８の位置を上から順番に目視し、濃淡の薄い部分に音符相当符号８があれば対応する鍵盤楽器の白鍵を押し、また、濃淡の濃い部分に音符相当符号８があれば対応する鍵盤楽器の黒鍵を押せば、ホ長調の音階が演奏可能となる。
【００２１】
このような要領で、例えば、野口雨情作詞、中山晋平作曲の「黄金虫」の四小節を例に唄いやすい音域を調整する場合を想定すると、楽譜本体には、黄金虫の歌の旋律を表記した音符相当符号が、図６に示されるように表記される。上下方向の葉の長さは、音の相対的長さであり、葉の長さが長いほど音の長さも長くなる。
【００２２】
通常においては、図７（ａ）に示されるように、ニ短調となるように楽譜本体に鍵盤シートを重ね合わせるが、唄いやすい、或いは、演奏しやすい音域を探すために、この旋律を移調してニ短調の旋律に変更する場合には、鍵盤シートを、図７（ｂ）に示されるように楽譜本体に重ね合わせ、これを見ながら、濃淡の薄い部分に音符相当符号があれば対応する鍵盤楽器の白鍵を押し、また、濃淡の濃い部分に音符相当符号があれば対応する鍵盤楽器の黒鍵を押せばよい。これによりニ短調の旋律を得ることが可能となり、演奏しやすい音域、又は、攻略したい音域を確認することが演奏可能となる。
【００２３】
このように、任意の旋律を任意の調に移調した状態を同列的に把握することができるので、初心者でも容易に変調した旋律を容易に弾くことが可能となり、唄いやすい、或いは、演奏しやすい音域を通常の鍵盤楽器を用いて容易に調整することが可能となる。
【図面の簡単な説明】
【００２４】
【図１】図１は、本発明に係る音域調整用補助具を説明する斜視図である。
【図２】図２は、本発明に係る音域調整用補助具の鍵盤シートの構成例を示す平面図である。
【図３】図３は、本発明に係る音域調整用補助具の楽譜本体の構成例を示す平面図である。
【図４】図４は、図２で示す楽譜本体に鍵盤シートを重ね合わせてハ長調の音階を表示させた状態を示す平面図である。
【図５】図５は、図２で示す楽譜本体に鍵盤シートを重ね合わせて変ホ長調の音階を表示させた状態を示す平面図である。
【図６】図６は、本発明に係る音域調整用補助具の楽譜本体の他の構成例を示す平面図である。
【図７】図７は、図６で示す楽譜本体に鍵盤シートを重ね合わせて利用する方法を説明する図であり、図７（ａ）は、ニ短調の旋律を表示させた状態を示す平面図であり、図７（ｂ）は、ヘ短調の旋律を表示させた状態を示す平面図である。
【符号の説明】
【００２５】
１  音域調整用補助具
２  鍵盤シート
３  楽譜本体
４  透明シート
５  鍵盤用帯状線
６  譜表用帯状線
７  譜表部
８  音符相当符号
【図１】
2006078609.tif 000003
【図２】
2006078609.tif 000004
【図３】
2006078609.tif 000005
【図４】
2006078609.tif 000006
【図５】
2006078609.tif 000007
【図６】
2006078609.tif 000008
【図７】
2006078609.tif 000009